(57)【要約】【課題】代替可能な新規タオル及びその製造方法を提供する。【解決手段】基材層（１）、ループ層（２）を含むタワシ、入浴タオルを代替可能な新規タオルにおいて、基材層の単面又は両面における一部又は全部のループ層のループ単体（３）が熱成形された低融点のポリエステル繊維で製造されるタワシ、入浴タオルを代替可能な新規タオル及びその製造方法。このタオルは、吸水が少すくなく、柔らかさがちょうどよく、長時間使用されても柔らかくならないし硬くならなく、カビを生じない等の特性を有する。【選択図】図１
2016524498.tif 000002
【特許請求の範囲】
【請求項１】
基材層、ループ層を含むタワシ、入浴タオルを代替可能な新規タオルにおいて、基材層の単面又は両面における一部又は全部のループ層のループ単体が熱成形された低融点のポリエステル繊維で製造されることを特徴とするタワシ、入浴タオルを代替可能な新規タオル。
【請求項２】
タオルの基材層を準備しておく工程１と、
過程全体に渡って温度を４０℃以下に制御するように、必要に応じて、タオル製造用装置において低融点のポリエステル繊維で織られた単糸又は撚糸を選用して、タオルの基材層においてループ層を製造し、ループ層を紡績する工程２と、
紡績されたタオルをプラットフォームに置いて、４０℃以上の加熱温度で、非接触加熱手段によってその表面を熱成形し、ループ層を成形する工程３と、
成形されたタオルを包装機によって包装する工程４と、
を備えることを特徴とするタワシ、入浴タオルを代替可能な新規タオルの製造方法。
【請求項３】
工程３における非接触加熱手段としては、スチーマー（Steamer）による蒸気噴射手段を使用することを特徴とする請求項２に記載のタワシ、入浴タオルを代替可能な新規タオルの製造方法。
【発明の詳細な説明】
【技術分野】
【０００１】
本発明は、タワシ、入浴タオルを代替可能な新規タオル及びその製造方法に関し、特に、吸水が少なく、柔らかさがちょうどよく、長時間使用されても柔らかくならないし、柔らかさも向上しなく、カビを生じない等の特性を有するタワシ、入浴タオルを代替可能な新規タオル及びその製造方法に関する。
【背景技術】
【０００２】
タオルは、一般的に綿素材で製造されるが、もちろん、人に受け入れられる他の材料やタオル業界でよく用いられるタオル用繊維で作られてもよい。タオル地は、皮膚に接触する特殊性で、業界の基準及び市場により柔らかいことが要求される。このように、皮膚に接触する場合、手触り心地が良い。しかし、この原因で、タオルのループ層におけるループ単体は、生地が柔らかく、摩擦力が不十分であり、顔を洗う場合又は入浴して背中を流す場合に、汚れを快速に洗浄する作用を達成できず、効率が低い。
【０００３】
タオルを食器用布巾として使用する場合、タワシにより破壊されたノンスティックパンや電気炊飯器の内釜表面に付着した焦げた食物を洗浄しにくく、更なる破壊を避けるために、このようなノンスティックパン又は電気炊飯器の内釜を更にタワシで洗浄してはいけない。通常の方法としては、ノンスティックパン又は電気炊飯器の内釜を熱い水でしばらく浸しておき、焦げた食物が柔らかく浸された後で食器用布巾で洗浄する。このように、待ち時間が長く、効率が低い。
【０００４】
タオルは、自動車や、テーブル、椅子、ガラス、地面、壁等の表面に付着した点状又は片状の汚れ物の洗浄に用いられる場合、吸水性に優れるため、1回拭くと汚れ物がその繊維内に付着し、水で揉んでもきれいに落とさないので、後の洗浄過程で物体の表面が拭かれるほど汚くなり、タオルを洗浄するには水を絶えず換える必要があり、非常に面倒である。洗浄の後でも、タオルに汚れが残り、きれいにするには超強力なクレンザーにしばらく浸す必要があり、後の作業が煩雑で、洗浄の途中でクレンザー水が手肌に優しくなく、クレンザーの使用が環境にも優しくない。
【０００５】
そのため、とにかく、普通のタオル、食器用布巾、又は自動車やテーブル、椅子、ガラス、地面、壁等の表面を拭くためのタオルとして使用する何れの場合にも、欠陥がある。
発明内容
【発明の概要】
【発明が解決しようとする課題】
【０００６】
本発明の目的は、従来のタオルの柔らかく、ループ単体の間における繊維及び毛羽が密集し吸水性が高く、汚れ物が洗浄しにくく、摩擦力が小さい等の問題を解決することにある。
【課題を解決するための手段】
【０００７】
基材層、ループ層を含むタワシ、入浴タオルを代替可能な新規タオルにおいて、基材層の単面又は両面における一部又は全部のループ層のループ単体が熱成形された低融点のポリエステル繊維で製造されることを特徴とするタワシ、入浴タオルを代替可能な新規タオルを提供する
【０００８】
タオルの基材層を準備しておく工程１と、
必要に応じて、過程全体に渡って温度を４０℃以下に制御するように、タオル製造用装置において低融点のポリエステル繊維で織られた単糸又は撚糸を選用し、タオルの基材層においてループ層を製造し、ループ層を紡績する工程２と、
紡績されたタオルをプラットフォームに置いて、４０℃以上の加熱温度で、非接触加熱手段によってその表面を熱成形し、ループ層を成形する工程３と、
成形されたタオルを包装機によって包装する工程４と、
を備えることを特徴とするタワシ、入浴タオルを代替可能な新規タオルの製造方法を提供する。
【０００９】
好ましくは、工程３における非接触加熱手段としては、スチーマー（Steamer）による蒸気噴射を使用する。
【発明の効果】
【００１０】
従来の技術に比べ、本発明では、新規的に、不織布における接着用の低融点のポリエステル繊維を単独にタオルに適用し、またタオルのループ層材料の製造のみに適用する。これにより、完成品の特性をタオル、入浴タオル、タワシの間にし、従来のタオル地が柔らかく、摩擦力が不十分であり、吸水性が高く、物体表面の汚れを快速に洗浄できず、及び長時間使用されると油まみれとなり、全体が硬くなる等の欠陥を補うことができる。この新規タオルは、長時間使用されても、ループ層が柔らかくならないし硬くならなく、深遠な現実的意義び素敵な実用性があり、タオル、入浴タオル、タワシの間の洗浄製品の空白を補充し、市場ではなかなか将来性がある。
【００１１】
従来技術に比べ、本発明は、コストが低く、使用時間が長く、ループ単体が熱成形された後で単体同士の間の隙間が４０％〜５０％増やし、ヒトの皮膚と接触する場合の柔らかさがちょうどよく、長時間使用されても変形せず、カビを生じない。基材層をテリレンで製造すれば、全体のカビ防止の効果を達成し、タオルの洗浄時間を少なくし、人の大切な時間を節約することができる。
【図面の簡単な説明】
【００１２】
【図１】本発明のタワシ、入浴タオルを代替可能な新規タオルを示す断面模式図である。
【発明を実施するための形態】
【００１３】
図１を参照されたい。タワシ、入浴タオルを代替可能な新規タオルは、基材層（１）、ループ層（２）を含み、基材層（１）の単面又は両面におけるループ層（２）のループ単体（３）の一部又は全部が熱成形された低融点のポリエステル繊維で製造される。
【００１４】
タワシ、入浴タオルを代替可能な新規タオルの製造方法は、
タオルの基材層（１）を準備する工程１と、
必要に応じて、タオル製造用装置において、低融点のポリエステル繊維で織られた単糸又は撚糸を選用し、過程全体に渡って温度を４０℃以下に制御するように、タオルの基材層においてループ層を製造し、ループ層（２）を紡績する工程２と、
紡績されたタオルをプラットフォームに置いて、４０℃以上の加熱温度で、非接触加熱手段によってその表面を熱成形し、ループ層を成形する工程３と、
成形されたタオルを包装機によって包装する工程４と、
を備える。
【００１５】
工程３における非接触加熱手段としては、スチーマー（Steamer）による蒸気噴射を使用する。
【００１６】
上記工程１のタオルの基材層（１）としては、自分で生産してもよいし、購入してもよい。選られた素材としては、綿製であってもよいし、他の常用繊維であってもよいが、カビ防止の効果を達成するために、好ましくはテリレン繊維で製造する。
【００１７】
上記工程２に記載の低融点のポリエステル繊維は、韓国思韓及び韓国ヒュービス（Ｈｕｖｉｓ  Ｃｏｒｐｏｒａｔｉｏｎ）の両社により生産され、その融点が４０℃である。つまり、当該ポリエステル繊維は、４０℃より高くなると、熔融して直接変形しまた直接成形し、成形した後で一定の弾力を持つ。
【００１８】
低融点のポリエステル繊維は、常に、他の繊維と共にスキンコア構造に組み合わせて使用される。中国内の市場に要求される製品の融点が少なくとも１１０℃〜１３０℃であるが、国際上では融点が様々であり、最高２００〜３００℃にもある。国内外では、低融点のポリエステル繊維が不織布の分野に広く使用される。不織布とは、織ったり、編んだりしないで形成した織物であり、医療衛生用布、家庭装飾用布、服装用布、工業用布、農業用布及び他の布材に用いられる。例えば、韓国思韓及び韓国ヒュービスの両社により生産された融点４０℃のものも、他の布材であるニット帽業界に適用される。もちろん、使用時、含有量２０％〜３０％の羊毛に混入され、その特性によって４０℃より高い時に帽子によく釣り合う半球状の布面を形成し、帽子内層の支持体として、一定の弾性を持ち、この低融点のポリエステル繊維の柔らかさがちょうどよい。
【００１９】
上記工程３では、低融点のポリエステル繊維から紡績されたループ単体（３）を、非接触加熱手段によって成形し、例えば、ベーク、蒸気等の方法を使用できる。蒸気噴射の途中、ループ単体（３）の上面部と蒸気と接触して先に熔融し時間が長いが、下面部と蒸気との接触時間が短いので、熔融時に単体が緩み、ループ単体（３）が使用される場合、上面部と下面部との曲げ、及び弾性の点でループ単体（３）全体が同じ時間に同じ温度で熔融して形成する場合の使用効果よりもよく、ヒト皮膚との接触快適さが最適化され、好ましくは蒸気噴射の方法で加熱する。
【００２０】
本発明の新規タオルは、ループ単体からなるループ層の吸水性が悪く、低融点のポリエステル繊維の物性によって形成したループ単体が使用時に皮膚に優しく、素敵な汚垢除去力を有し、硬い入浴タオルにとって代わって使用してもよいし、タワシの代わりに、その表面を傷つけずに鍋、皿等の表面に付着した焦物を快速にきれいにすることができ、更に日常生活において、自動車の表面、ガラス、テーブル、椅子、ソファー等の洗浄にも使用される。
【００２１】
本発明の新規タオルでは、単にループ単体からなるループ層の汚垢除去と吸水性とを両立させる場合の低吸水性の問題を解決するために、低融点のポリエステル繊維にループ単体を紡績する場合に、他の常用繊維を間隔形態で紡績してもよい。このように、汚垢を除去すると共に、ループ層の吸水の要求を達成することができる。
【００２２】
上記間隔形態としては、例えば、一行のループ単体に低融点のポリエステル繊維紡績を使用し、他行のループ単体に綿質の繊維で紡績し、又は低融点のポリエステル繊維によって一定のパターンの外部用綿質繊維紡績からなるループ単体を紡績してよい。
【００２３】
本発明の製造過程に基づいて、機器を生産し又は生産ラインを設計する技術者は、機器を設計し、更に従来の機器を改善することができる。例えば、タオルの基材層を製造した後でそのままループ層を紡績し、また、同期的に又はループ層を形成した後で、その非接触加熱の設備の構造を設計することができる。もちろん、これらは、本発明の実際的な精神から逸脱せずに、本発明の範囲内で、技術分野内の常用的な考えや常用技術手段によって得られた結果であるため、これらの設計や改善が何れも本発明の保護範囲内にある。
【符号の説明】
【００２４】
１：基材層
２：ループ層
３：ループ単体
【図１】
2016524498.tif 000003
【国際調査報告】
2016524498.tif 000004
2016524498.tif 000005
2016524498.tif 000006
2016524498.tif 000007